(57)【要約】【課題】物を入れて運ぶ以外の作業にも適した万能カートを提供する。【解決手段】万能カート１は、万能カート１を後方から押す使用者Ｕ側からみて、左右方向に所定の間隔Ｇ１で並設された左右２つのリアキャスタ２０と、リアキャスタ２０よりも前方に左右方向に前記所定の間隔Ｇ１よりも狭い間隔Ｇ２で並設された左右２つのフロントキャスタ２５と、リアキャスタ２０よりも上方に設けられて前後長さＬ１がフロントキャスタ２５とリアキャスタ２０との前後方向の中心間ピッチＰよりも短い物入れ３０と、物入れ３０よりも上方に設けられて前後長さＬ２がフロントキャスタ２５とリアキャスタ２０との前後方向の中心間ピッチＰよりも短いテーブル４０とを含み構成されている。【選択図】図１
2014221581.tif 000002
【特許請求の範囲】
【請求項１】
万能カートを後方から押す使用者（Ｕ）側からみて、
左右方向に所定の間隔（Ｇ１）で並設された左右２つのリアキャスタ（２０）と、
リアキャスタ（２０）よりも前方に左右方向に前記所定の間隔（Ｇ１）よりも狭い間隔（Ｇ２）で並設された左右２つのフロントキャスタ（２５）と、
リアキャスタ（２０）よりも上方に設けられて前後長さ（Ｌ１）がフロントキャスタ（２５）とリアキャスタ（２０）との前後方向の中心間ピッチ（Ｐ）よりも短い物入れ（３０）と、
物入れ（３０）よりも上方に設けられて前後長さ（Ｌ２）がフロントキャスタ（２５）とリアキャスタ（２０）との前後方向の中心間ピッチ（Ｐ）よりも短いテーブル（４０）とを含み構成された万能カート。
【請求項２】
前後２台の万能カートのうちの前側の万能カートの左右２つのリアキャスタ（２０）の左右方向の内側に、後側の万能カートの左右２つのフロントキャスタ（２５）を後方から入れ込むことで、複数台の万能カートを前後方向に詰めて並べられるように構成され、このとき、前側の万能カートのリアキャスタ（２０）の中心よりも後側の万能カートのフロントキャスタ（２５）の中心の方が前方にくる請求項１記載の万能カート。
【請求項３】
テーブル（４０）の上面は、水平に形成された請求項１又は２記載の万能カート。
【請求項４】
テーブル（４０）の上面は、後方から前方にいくに従い上方に上がる請求項１又は２記載の万能カート。
【請求項５】
テーブル（４０）の上面は、水平に形成され、
複数台の万能カートを前後方向に詰めて並べたときには、前側の万能カートのテーブル（４０）の後辺に後側の万能カートのテーブル（４０）の前辺が当接して、複数台の万能カートのテーブル（４０）の上面が前後方向に連なる請求項２記載の万能カート。
【請求項６】
物入れ（３０）は、入れた物に下方から当接する基部（３１）と、入れた物が前方に落ちるのを防止する前止部（３２）と、入れた物が左方に落ちるのを防止する左止部（３３）と、入れた物が右方に落ちるのを防止する右止部（３４）とを含み、後方及び上方から物を出し入れ可能に構成された請求項１〜５のいずれか一項に記載の万能カート。
【請求項７】
物入れ（３０）の基部（３１）の上面は、後方から前方にいくに従い下方に下がる請求項６記載の万能カート。
【発明の詳細な説明】
【技術分野】
【０００１】
本発明は、物を入れて運ぶためのカートに関する。
【背景技術】
【０００２】
カートの中には、本出願人が開示した特許文献１〜３に示すショッピングカート等がある。これらのショッピングカートは、左右方向に所定の間隔で並設された左右２つのリアキャスタと、リアキャスタよりも前方に左右方向に前記所定の間隔よりも狭い間隔で並設された左右２つのフロントキャスタと、リアキャスタよりも上方に設けられたカゴとを含み構成されている。
【先行技術文献】
【特許文献】
【０００３】
【特許文献１】特開２０１２−２５０６７９号公報
【特許文献２】特開２０１１−１２６４３５号公報
【特許文献３】特開２００８−２８５０１４号公報
【発明の概要】
【発明が解決しようとする課題】
【０００４】
これらのショッピングカートによれば、カゴに商品等の物を入れて運ぶことができる。しかしながら、これらのショッピングカートは、物を入れるためのカゴを備えているのみで、その他の作業をするための部位は備えていないので、物を入れて運ぶ以外の作業をするのには適していない。そこで、物を入れて運ぶ以外の作業をするのにも適した万能カートを提供することを目的とする。
【課題を解決するための手段】
【０００５】
上記目的を達成するため、本発明の万能カートは、万能カートを後方から押す使用者側からみて、左右方向に所定の間隔で並設された左右２つのリアキャスタと、リアキャスタよりも前方に左右方向に前記所定の間隔よりも狭い間隔で並設された左右２つのフロントキャスタと、リアキャスタよりも上方に設けられて前後長さがフロントキャスタとリアキャスタとの前後方向の中心間ピッチよりも短い物入れと、物入れよりも上方に設けられて前後長さがフロントキャスタとリアキャスタとの前後方向の中心間ピッチよりも短いテーブルとを含み構成されている。
【０００６】
万能カートの前後方向の全長は、特に限定されないが、４００〜６００ｍｍであることが好ましい。４００ｍｍに満たないと、物入れやテーブルを十分な大きさにできないおそれがある一方、６００ｍｍを越えると万能カートを移動させる際に邪魔になるおそれがあるからである。該全長は、４２５〜５５０ｍｍであることがより好ましく、４５０〜５００ｍｍであることが最も好ましい。
【０００７】
万能カートの左右方向の全幅は、特に限定されないが、３５０〜５５０ｍｍであることが好ましい。３５０ｍｍに満たないと、物入れやテーブルを十分な大きさにできないおそれがある一方、５５０ｍｍを越えると万能カートを移動させる際に邪魔になるおそれがあるからである。該全幅は、３７５〜５００ｍｍであることがより好ましく、４００〜４５０ｍｍであることが最も好ましい。
【０００８】
万能カートの具体的な態様は、特に限定されないが、次の態様が好ましい。すなわち、前後２台の万能カートのうちの前側の万能カートの左右２つのリアキャスタの左右方向の内側に、後側の万能カートの左右２つのフロントキャスタを後方から入れ込むことで、複数台の万能カートを前後方向に詰めて並べられるように構成され、このとき、前側の万能カートのリアキャスタの中心よりも後側の万能カートのフロントキャスタの中心の方が前方にくる態様である。不使用時には、複数台の万能カートを前後方向にコンパクトに収納できるからである。
【０００９】
［キャスタ］
左右２つのフロントキャスタの間隔は、前記所定の間隔（左右２つのリアキャスタの左右方向の間隔）よりも狭いこと以外は特に限定されないが、前記所定の間隔の０．３〜０．８倍であることが好ましい。０．３倍に満たないと、カートの前部のバランスが悪くなり、不安定になるおそれがある一方、０．８倍を越えると、小回りが利き難くなって操作性が悪くなったり、複数台の万能カートを前後方向に詰めて並べるときに前側の万能カートの左右２つのリアキャスタの間に後側の万能カートの左右２つのフロントキャスタを入れ込み難くなるおそれがあるからである。該左右２つのフロントキャスタの間隔は、前記所定の間隔の０．３５倍〜０．７倍であることがより好ましく、０．４倍〜０．６倍であることが最も好ましい。
【００１０】
各キャスタの直径は、特に限定されないが、７０〜１５０ｍｍであることが好ましい。７０ｍｍに満たないと、カートのキャスタとしては摩擦が大きくなりすぎてカートが円滑に移動できなくなるおそれがある一方、１５０ｍｍを越えるとキャスタが邪魔になるおそれがあるからである。該直径は、８０〜１３０ｍｍであることがより好ましく、９０〜１１０ｍｍであることが最も好ましい。
【００１１】
［物入れ］
物入れの前後長さは、前記（フロントキャスタとリアキャスタとの前後方向の中心間ピッチよりも短いこと）以外は特に限定されないが、前記中心間ピッチの０．５〜０．８５倍であることが好ましい。０．５倍に満たないと物入れに十分な容量を確保できないおそれがある一方、０．８５倍を越えるとカートの前後方向のバランスが悪くなるおそれがあるからである。該前後長さは、前記中心間ピッチの０．５５〜０．７５倍であることがより好ましく、０．６〜０．６５倍であることが最も好ましい。
【００１２】
物入れの具体的な態様は、特に限定されないが、物入れは、入れた物に下方から当接する基部と、入れた物が前方に落ちるのを防止する前止部と、入れた物が左方に落ちるのを防止する左止部と、入れた物が右方に落ちるのを防止する右止部とを含み、後方及び上方から物を出し入れ可能に構成されていることが好ましい。後方にいる使用者が物入れに物を出し入れし易くなるからである。
【００１３】
このとき、基部の上面の角度は、特に限定されないが、物入れの基部の上面は、後方から前方にいくに従い下方に下がることが好ましい。物入れに入れた物が前方に傾くので、万能カートを前方に加速させたときにもその物が後方に飛び出し難くなるからである。具体的には、物入れの基部の上面の角度は、後方から前方にいくに従い６〜４５°で下方に下がることが好ましい。６°の満たないと物入れに入れた物が後方に十分に飛び出し難くならないおそれがある一方、４５°を越えると、物入れに入れた物が逆に前方に飛び出し易くなったり、物を出し入れし難くなるおそれがあるからである。該角度は、８〜３０°であることがより好ましく、１０〜１５°であることが最も好ましい。
【００１４】
また、物入れの基部の上面の高さ（上面が傾いている場合は上面の最低点の高さ）は、特に限定されないが、４００〜７５０ｍｍであることが好ましい。４００ｍｍに満たないと低すぎて物を出し入れし難くなるおそれがる一方、７５０ｍｍを越えると重心が高くなりすぎて万能カートが不安定になるおそれがあるからである。該高さは、４２５〜６５０ｍｍであることがより好ましく、４５０〜５５０ｍｍであることが最も好ましい。
【００１５】
［テーブル］
テーブルの前後長さは、前記（フロントキャスタとリアキャスタとの前後方向の中心間ピッチよりも短いこと）以外は特に限定されないが、前記中心間ピッチの０．５５〜０．９倍であることが好ましい。０．５５倍に満たないとテーブル上に十分な作業面積を確保できないおそれがある一方、０．９倍を越えるとカートの前後方向のバランスが悪くなるおそれがあるからである。該前後長さは、前記中心間ピッチの０．５５〜０．７５倍であることがより好ましく、０．６〜０．６５倍であることが最も好ましい。
【００１６】
テーブルの上面は、特に限定されないが、次の［１］［２］の態様を例示する。
［１］テーブルの上面は、水平に形成された態様。
［２］テーブルの上面は、後方から前方にいくに従い上方に上がる態様。
【００１７】
上記［１］の場合、万能カートの具体的な態様は、特に限定されないが、次の態様であることが好ましい。すなわち、複数台の万能カートを前後方向に詰めて並べたときには、前側の万能カートのテーブルの後辺に後側の万能カートのテーブルの前辺が当接して、複数台の万能カートのテーブルの上面が前後方向に連なる態様である。テーブル上に作業スペースが足りないときには、複数台の万能カートのテーブルの上面を前後方向に連ねることで、より広い作業スペースを確保することができるからである。
【００１８】
また、この場合、テーブルの前後長さに対する物入れの前後長さは、特に限定されないが、次の［ｉ］［ii］の態様を例示する。
［ｉ］物入れの前後長さは、テーブルの前後長さよりも短い態様。
［ii］物入れの前後長さは、テーブルの前後長さよりも長く、前側の万能カートのテーブルの後辺に後側の万能カートのテーブルの前辺が当接するときには、前側の万能カートの物入れの内側に後側の万能カートの物入れが入り込む態様。
【００１９】
上記［１］［２］の場合、テーブルの上面の角度は、特に限定されないが、０〜７５°であることが好ましい。７５°を越えると、本を置き難くなったり、置いた本が後方に落ち易くなったり、置いた本を読み難くなるおそれがあるからである。該上面の角度は、０〜６０°であることがより好ましく、０〜４５°であることが最も好ましい。
【００２０】
テーブルの上面（上面が傾いている場合は上面の最低点の高さ）の高さは、特に限定されないが、７５０〜１３００ｍｍであることが好ましい。７５０ｍｍに満たないと低すぎて作業をし難くなるおそれがある一方、１３００ｍｍを越えると高すぎて作業をし難くなるおそれがあるからである。テーブルの上面の高さは、８００〜１２００ｍｍであることがより好ましく、８５０〜１０００ｍｍであることが最も好ましい。
【発明の効果】
【００２１】
本発明の万能カートは、物入れに加えテーブルもあるので、物入れに物を入れて運ぶことができるのに加え、テーブル上で作業をすることもできる。そのため、本発明の万能カートは、物を入れて運ぶ以外の作業をするのにも適している。
【００２２】
そして、物入れの前後長さ及びテーブルの前後長さは、フロントキャスタとリアキャスタとの前後方向の中心間ピッチよりも短いので、本発明のように物入れの上に更にテーブルを設ける場合にも、万能カートの前後方向の安定性が悪くなり難い。また、左右２つのフロントキャスタの左右方向の間隔は、左右２つのリアキャスタの左右方向の間隔よりも狭いので、万能カートを移動させるときの操作性が良い。
【図面の簡単な説明】
【００２３】
【図１】実施例１の万能カートを１台で使用したときを示す斜視図である。
【図２】実施例１の万能カートを前後方向に２台並べて使用したときを示す斜視図である。
【図３】実施例１の万能カートを前後方向に複数台並べて収納したときを示す斜視図である。
【図４】実施例１の万能カートを示す斜視図である。
【図５】（ａ）は実施例１の万能カートを示す平面図、（ｂ）は正面図、（ｃ）は左側面図（背面側からみて左側面図）である。なお、右側面図は左側面図と対称である。
【図６】（ａ）は実施例１の万能カートを示す断面図、（ｂ）は背面図、（ｃ）は底面図である。
【図７】実施例２の万能カートを示す斜視図である。
【発明を実施するための形態】
【００２４】
以下、本発明の万能カートを、図面を参照に説明する。なお、本明細書で単に「前」「後」「左」「右」というときは、万能カートを後方から押す使用者側からみた「前」「後」「左」「右」をいう。また、本明細書に記載する間隔、ピッチ、長さ等の寸法は、次に示す実施例１，２のようにキャスタが水平面内で回動可能な場合には、万能カートを前方に前進させているときのキャスタの角度状態でみた寸法をいう。以下の実施例に示す寸法は全て例示であり、適宜変更して実施することができる。
【実施例１】
【００２５】
図１〜図６に示す本実施例１の万能カート１は、物を入れて運ぶ以外の作業にも適した万能のカートであって、特に本屋や図書館等での使用に適している。この万能カート１の寸法は、前後方向の全長が４７０ｍｍ程度で、左右方向の全幅が４２３ｍｍ程度で、上下方向の全高が９２０ｍｍ程度である。この万能カート１は、次に示すベースフレーム１０と、支持フレーム１３と、補助フレーム１６と、リアキャスタ２０，２０と、フロントキャスタ２５，２５と、物入れ３０と、テーブル４０とを含み構成されている
【００２６】
ベースフレーム１０は、後端から前方にいくに従い左右方向に幅狭になる後方に開口したＵ字形のフレームである。そして、このベースフレーム１０の左右方向の内側には、棚１１が設けられている。その棚１１は、後方から前方に向かうに従いに下方に下がる網状の棚であって、前端部がベースフレーム１０の前端部に支持されている。
【００２７】
支持フレーム１３は、ベースフレーム１０の左右の後端から上方に延びる下方に開口したＵ字形（逆Ｕ字形）のフレームであって、上端部は、前方に屈曲している。詳しくは、この支持フレーム１３の左側の下端部の前面には、ベースフレーム１０の左側の後端部が溶接等で接続されており、この支持フレーム１３の右側の下端部の前面には、ベースフレーム１０の右側の後端部が溶接等で接続されている。
【００２８】
補助フレーム１６は、ベースフレーム１０の前端から上方に延びる環状のフレームである。詳しくは、この補助フレーム１６の下端部は、ベースフレーム１０の前端部に、前端カバー１７を介して接続されており、この補助フレーム１６の上端部には、上端カバー１８が取り付けられている。
【００２９】
左右２つのリアキャスタ２０，２０は、支持フレーム１３の左側の下端部に取付部２１を介して水平面内で回動可能に取り付けた左側のリアキャスタ２０と、支持フレーム１３の右側の下端部に取付部２１を介して水平面内で回動可能に取り付けた右側のリアキャスタ２０とからなる。そして、各取付部２１には、リアキャスタ２０を鉛直面内で回転不能に拘束することで万能カート１を移動不能にするためのストッパ２２が設けられている。この左右２つのリアキャスタ２０，２０の左右方向の間隔Ｇ１は３４０ｍｍ程度である。そして、各リアキャスタ２０の直径は１００ｍｍ程度である。
【００３０】
左右２つのフロントキャスタ２５，２５は、ベースフレーム１０の前端部の左端部に取付部２６を介して水平面内で回動可能に取り付けられた左側のフロントキャスタ２５と、ベースフレーム１０の前端部の右端部に取付部２６を介して水平面内で回動可能に取り付けられた右側のフロントキャスタ２５とからなる。この左右２つのフロントキャスタ２５，２５の左右方向の間隔Ｇ２は、１７０ｍｍ程度であり、左右２つのリアキャスタ２０，２０の左右方向の間隔Ｇ１の０．５倍程度である。そして、各フロントキャスタ２５の直径は１００ｍｍ程度である。そして、フロントキャスタ２５とリアキャスタ２０との前後方向の中心間ピッチＰは、３００ｍｍ程度である。
【００３１】
そして、図２及び図３に示すように、前後２つの万能カート１，１のうちの前側の万能カート１の左右２つのリアキャスタ２０，２０の左右方向の内側に、後側の万能カート１の左右２つのフロントキャスタ２５，２５を後方から入れ込むことで、複数台の万能カート１，１・・を前後方向に詰めて並べられるように構成されている。このとき、前側の万能カート１のベースフレーム１０の左右方向の内側には、後側の万能カート１のベースフレーム１０が後方から入り込み、前側の万能カート１の棚１１の下方には、後側の万能カート１の棚１１が後方から入り込む。そして、このとき、前側の万能カート１のリアキャスタ２０，２０の中心よりも、後側の万能カート１のフロントキャスタ２５，２５の中心の方が前方にくる。
【００３２】
物入れ３０は、物を入れるための部材であって、特に複数の本Ｂ，Ｂ・・を立てた状態で左右方向に並べて入れるのに適している。この物入れ３０は、後端部が支持フレーム１３の上下方向中間部に支持され、前端部が補助フレーム１６の上部に支持されることで、ベースフレーム１０から上方に離間して設けられている。この物入れ３０の前後長さＬ１は、１９０ｍｍ程度であり、フロントキャスタ２５とリアキャスタ２０との前後方向の中心間ピッチＰの０．６３倍程度である。
【００３３】
この物入れ３０は、次に示す基部３１と前止部３２と左止部３３と右止部３４とを含み構成されている。基部３１は、この物入れ３０に入れた本Ｂ，Ｂ・・やその他の物に下方から当接する板状の部位であって、その上面は、後方から前方にいくに従い水平方向に対して１２°程度の角度で下方に下がっている。その基部３１の上面の高さは、前端で４９０ｍｍ程度で後端で５２０ｍｍ程度である。前止部３２は、この物入れ３０に入れた本Ｂ，Ｂ・・やその他の物に前方から当接することで、それらの物が前方に落ちるのを防止する板状の部位であって、基部３１の前端から上方（基部３１と直角に斜め上方）に延びている。左止部３３は、この物入れ３０に入れた本Ｂ，Ｂ・・やその他の物に左方から当接することで、それらの物が左方に落ちるのを防止する板状の部位であって、基部３１の左端から上方に延びている。右止部３４は、この物入れ３０に入れた本Ｂ，Ｂ・・やその他の物に右方から当接することで、それらの物が右方に落ちるのを防止する板状の部位であって、基部３１の右端から上方に延びている。そして、この物入れ３０は、上方及び後方に開口することで、後方及び上方から本Ｂ，Ｂ・・やその他の物を出し入れ可能に構成されている。
【００３４】
テーブル４０は、支持フレーム１３の上端部に支持されることで物入れ３０から上方に離間して設けられた上面が水平な板状の部材である。このテーブル４０の前後長さＬ２は２００ｍｍ程度であり、フロントキャスタ２５とリアキャスタ２０との前後方向の中心間ピッチＰの０．６７倍程度である。そして、このテーブル４０の上面の高さは９２０ｍｍ程度である。
【００３５】
そして、図２，図３に示すように、複数台の万能カート１，１・・を前後方向に詰めて並べたときには、前側の万能カート１のテーブル４０の後辺に後側の万能カート１のテーブル４０の前辺が当接して、複数台の万能カート１，１・・のテーブル４０，４０・・の上面が前後方向に連なる。
【００３６】
本実施例１によれば、次の［Ａ］〜［Ｇ］の効果を得ることができる。
【００３７】
［Ａ］万能カート１は、物入れ３０に加えテーブル４０もあるので、物入れ３０に物を入れて運ぶことができるのに加え、テーブル４０上で作業をすることもできる。そのため、万能カート１は、物を入れて運ぶ以外の作業をするのにも適している。
【００３８】
例えば、テーブル４０に本Ｂを開いた状態で置いて読むといった作業や、テーブル４０に書類を置いて書くといった作業や、テーブル４０にノートパソコンを置いてデータを入力するといった作業や、テーブル４０に仕分けすべきものを置いて仕分けするといった作業等の様々な作業をすることができる。また、特に、本屋や図書館で万能カート１を使用する場合には、本屋の客や図書館の利用者は、テーブル４０に本Ｂを開いた状態で置いて読み、気に入ればその本Ｂを物入れ３０に入れることができる。
【００３９】
［Ｂ］物入れ３０の前後長さＬ１及びテーブル４０の前後長さＬ２は、フロントキャスタ２５，２５とリアキャスタ２０，２０との前後方向の中心間ピッチＰよりも短いので、本実施例１のように物入れ３０の上に更にテーブル４０を設ける場合にも、万能カート１の前後方向の安定性が悪くなり難い。そのため、万能カート１を前方に強く押したとき等にも、万能カート１が前方に倒れ難い。
【００４０】
［Ｃ］左右２つのフロントキャスタ２５，２５の左右方向の間隔Ｇ２は、左右２つのリアキャスタ２０，２０の左右方向の間隔Ｇ１よりも狭いので、小回りが利き、万能カート１を移動させるときの操作性がよい。また、ベースフレーム１０は後方から前方にいくに従い幅狭になるので、ベースフレーム１０の前部が邪魔になり難く、この点でも、万能カート１を移動させるときの操作性がよい。
【００４１】
［Ｄ］図３に示すように、複数台の万能カート１，１・・を前後方向に詰めて並べたときには、前側の万能カート１のリアキャスタ２０，２０の中心よりも、後側の万能カート１のフロントキャスタ２５，２５の中心の方が前方にくるので、不使用時には、複数台の万能カート１，１・・を前後方向にコンパクトに収納できる。
【００４２】
また、このとき、前側の万能カート１の左右２つのリアキャスタ２０，２０の左右方向の内側には、後側の万能カート１の左右２つのフロントキャスタ２５，２５が後方から入れ込み、前側の万能カート１のベースフレーム１０の左右方向の内側には、後側の万能カート１のベースフレーム１０が後方から入り込み、前側の万能カート１の棚１１の下方には、後側の万能カート１の棚１１が後方から入り込むので、前後２台の万能カート１，１のキャスタ２０，２５どうしやベースフレーム１０，１０どうしや棚１１，１１どうしが当たることで、複数台の万能カート１，１・・を前後方向に詰めて並べられなくなるといった心配がない。
【００４３】
［Ｅ」物入れ３０は、後方及び上方から本Ｂやその他の物を出し入れ可能に構成されているので、万能カート１の後方にいる使用者Ｕが物入れ３０に本Ｂやその他の物を出し入れし易い。
【００４４】
［Ｆ］物入れ３０の基部３１の上面は後方から前方にいくに従い下方に下がるので、該物入れ３０に入れた本Ｂ，Ｂ・・やその他の物は前方に傾く。そのため、万能カート１を前方に加速させたときにも、物入れ３０に入れてある本Ｂ，Ｂ・・やその他の物は後方に飛び出し難い。
【００４５】
［Ｇ］図２，図３に示すように、複数台の万能カート１，１・・のテーブル４０，４０・・の上面を前後方向に連ねることができるので、１台の万能カート１のテーブル４０のみでは作業スペースが足りないときには、複数台の万能カート１，１のテーブル４０，４０の上面を前後方向に連ねることで、より広い作業スペースを確保することができる。
【００４６】
また、このとき、前側の万能カート１のベースフレーム１０の左右方向の内側に、後側の万能カート１のベースフレーム１０が後方から入り込むことで、前側の万能カート１に対して後側の万能カート１が左右方向に拘束されるので、テーブル４０，４０どうしが左右方向にずれ難くなる。
【実施例２】
【００４７】
図７に示す本実施例２の万能カート２は、実施例１の万能カート１と比較して、テーブル４０の上面が水平ではなく、後方から前方にいくに従い上方に上がる点、及び該テーブル４０の後端部に滑止４１が突設されている点で相違し、その他の点で同様である。
【００４８】
本実施例２によれば、上記の［Ａ］〜［Ｆ］の効果に加えて、次の［Ｇ’］の効果を得ることができる。
［Ｇ’］テーブル４０の上面が、後方から前方にいくに従い上方に上がるので、本Ｂを開いて置いた際には、紙面が後斜め上を向く。そのため、使用者Ｕが本Ｂの紙面を見易い。そのため、本屋や図書館で使用するのに適している。
【００４９】
なお、本発明は前記実施例１，２の構成に限定されるものではなく、例えば次の変更例１〜４のように、発明の趣旨から逸脱しない範囲で適宜変更して具体化することもできる。
【００５０】
［変更例１］支持フレーム１３の上部に、傘や杖や袋等を引っ掛けるための掛止突起を設けてもよい。
【００５１】
［変更例２］支持フレーム１３の下部に、傘や杖の先端部を挿して立てるための傘・杖立てを設けてもよい。
【００５２】
［変更例３］テーブル４０の前端部及び後端部に磁石を取り付けても良い。図２に示すように、複数台の万能カート１，１のテーブル４０，４０の上面を前後方向に連ねたときに、テーブル４０，４０どうしが離れ難くなるからである。
【００５３】
［変更例４］物入れ３０に立てた状態で入れた本Ｂ，Ｂ・・が左右方向に倒れ難くなるように、物入れ３０に仕切りを設けてもよい。
【符号の説明】
【００５４】
１    万能カート（実施例１）
２    万能カート（実施例２）
２０    リアキャスタ
２５    フロントキャスタ
３０    物入れ
３１    基部
３２    前止部
３３    左止部
３４    右止部
４０    テーブル
Ｕ      使用者
Ｐ      フロントキャスタとリアキャスタとの前後方向の中心間ピッチ
Ｌ１    物入れの前後長さ
Ｌ２    テーブルの前後長さ
【図１】
2014221581.tif 000003
【図２】
2014221581.tif 000004
【図３】
2014221581.tif 000005
【図４】
2014221581.tif 000006
【図５】
2014221581.tif 000007
【図６】
2014221581.tif 000008
【図７】
2014221581.tif 000009